(57)【特許請求の範囲】
【請求項１】
受信可能なチャンネルのリストを放送受信端末に配信するチャンネルリスト配信サーバであって、
位置を特定した所定領域ごとに受信可能なチャンネルを示す複数のチャンネル情報からなるリストを予め記憶するリスト群記憶手段と、
前記放送受信端末から、当該放送受信端末の位置を示す位置情報と、当該放送受信端末で受信可能な少なくとも１つのチャンネルを示す端末受信チャンネル情報とを前記リストの要求として受信するリスト要求受信手段と、
このリスト要求受信手段で受信した位置情報で示される位置を含んだ領域に対応する、前記リスト群記憶手段に記憶されたリストに、前記端末受信チャンネル情報が含まれているか否かを判定するチャンネル情報判定手段と、
このチャンネル情報判定手段で前記リストに前記端末受信チャンネル情報が含まれていないと判定された場合に、当該端末受信チャンネル情報を含むリストを前記リスト群記憶手段において検索する代替リスト検索手段と、
前記端末受信チャンネル情報を含むリストを前記放送受信端末に送信するリスト送信手段と、
を備えていることを特徴とするチャンネルリスト配信サーバ。
【請求項２】
前記代替リスト検索手段は、前記端末受信チャンネル情報を含むリストが複数存在する場合に、前記位置情報に基づいて、当該位置情報で示される位置を含んだ領域に最も近い領域に対応するリストを検索することを特徴とする請求項１に記載のチャンネルリスト配信サーバ。
【請求項３】
前記チャンネル情報判定手段で前記リストに前記端末受信チャンネル情報が含まれていないと判定された場合に、当該リストに前記端末受信チャンネル情報を付加して更新するリスト更新手段を備えていることを特徴とする請求項１または請求項２に記載のチャンネルリスト配信サーバ。
【請求項４】
前記リスト更新手段は、前記チャンネル情報判定手段で前記リストに前記端末受信チャンネル情報が含まれていないと判定された回数または割合が予め定めた基準値を超過する場合に、前記リストを更新することを特徴とする請求項３に記載のチャンネルリスト配信サーバ。
【請求項５】
位置を特定した所定領域ごとに受信可能なチャンネルを示す複数のチャンネル情報からなるリストを予め記憶するリスト群記憶手段を備えたチャンネルリスト配信サーバにおいて、放送受信端末に前記チャンネルのリストを配信するチャンネルリスト配信方法であって、
前記放送受信端末から、当該放送受信端末の位置を示す位置情報と、当該放送受信端末で受信可能な少なくとも１つのチャンネルを示す端末受信チャンネル情報とを前記リストの要求として受信する受信ステップと、
この受信ステップで受信した位置情報で示される位置を含んだ領域に対応する、前記リスト群記憶手段に記憶されたリストに、前記端末受信チャンネル情報が含まれているか否かを判定するチャンネル情報判定ステップと、
このチャンネル情報判定ステップで前記リストに前記端末受信チャンネル情報が含まれていないと判定された場合に、当該端末受信チャンネル情報を含むリストを前記リスト群記憶手段において検索する代替リスト検索ステップと、
前記端末受信チャンネル情報を含むリストを前記放送受信端末に送信するリスト送信ステップと、
を含んでいることを特徴とするチャンネルリスト配信方法。
【請求項６】
位置を特定した所定領域ごとに受信可能なチャンネルを示す複数のチャンネル情報からなるリストを予め記憶するリスト群記憶手段を備えたチャンネルリスト配信サーバにおいて、放送受信端末に前記チャンネルのリストを配信するために、前記チャンネルリスト配信サーバを制御するコンピュータを、
前記放送受信端末から、当該放送受信端末の位置を示す位置情報と、当該放送受信端末で受信可能な少なくとも１つのチャンネルを示す端末受信チャンネル情報とを前記リストの要求として受信するリスト要求受信手段、
このリスト要求受信手段で受信した位置情報で示される位置を含んだ領域に対応する、前記リスト群記憶手段に記憶されたリストに、前記端末受信チャンネル情報が含まれているか否かを判定するチャンネル情報判定手段、
このチャンネル情報判定手段で前記リストに前記端末受信チャンネル情報が含まれていないと判定された場合に、当該端末受信チャンネル情報を含むリストを前記リスト群記憶手段において検索する代替リスト検索手段、
前記端末受信チャンネル情報を含むリストを前記放送受信端末に送信するリスト送信手段、
として機能させることを特徴とするチャンネルリスト配信プログラム。
【発明の詳細な説明】
【技術分野】
【０００１】
本発明は、受信可能な放送チャンネルのリストを配信するチャンネルリスト配信技術に係り、より詳細には、チャンネルリスト配信サーバ、チャンネルリスト配信方法およびチャンネルリスト配信プログラムに関する。
【背景技術】
【０００２】
２００３年１２月に地上デジタル放送が開始され、地上波のＵＨＦ帯を使用した、高画質・高音質、双方向番組、データ放送等の特徴を有する新しいデジタル放送が提供されている。さらに、２００６年には、携帯端末向けの地上デジタル放送（ワンセグメント放送）が開始される予定であり、デジタル放送の視聴が可能な携帯端末が種々開発されてきている。
なお、地上デジタル放送では、放送波（地上波）を中継する放送中継局ごとに、異なるチャンネルの周波数（物理チャンネル）が割り振られており、各放送中継局間での混信を防止している。
しかし、携帯端末は固定端末と異なり移動可能である。このため、携帯端末は、地上デジタル放送の放送中継局を跨って移動し、物理チャンネルが異なる受信エリアに移動する場合がある。このとき、携帯端末では、その位置において受信可能（視聴可能）なチャンネルを探索する必要が生じる。
【０００３】
従来、このような受信可能なチャンネルを探索する手法として、放送波上で複数のチャンネルを順次切り換えて受信可能なチャンネルを探索するチャンネルスキャンという技術が開示されている（例えば、特許文献１参照）。
また、携帯端末が、携帯端末の現在位置を放送局のサーバに通知することで、その位置において受信可能なチャンネルのリストを、放送局側から携帯端末に送信する放送チャンネルリストの送信方法に関する技術が開示されている（特許文献２参照）。
【特許文献１】特開２００５−１１７３３４号公報
【特許文献２】特開２００２−２９０３５６号公報
【発明の開示】
【発明が解決しようとする課題】
【０００４】
しかし、従来のチャンネルスキャンによって、受信可能なチャンネルを探索する手法では、全チャンネルをスキャンして受信の可否を判定するため、数十秒程度の時間を要してしまう。この場合、放送受信端末が固定端末であれば、その端末を設置した時点で１度チャンネルスキャンを行うだけでよいため、チャンネルスキャンに要する時間はあまり問題にならない。しかし、放送受信端末が移動端末である場合は、受信エリアが異なるたびにチャンネルスキャンを行わなければならず、視聴者に対して、放送受信端末の使い勝手を悪くしてしまうという問題が発生する。
【０００５】
また、従来のチャンネルリストを携帯端末に送信する手法において、放送局側で管理されているチャンネルリストは、通常、コンピュータのシミュレーションによる電界計算に基づいて、各チャンネルを受信可能なエリアを推定した結果、生成されるものである。
すなわち、このチャンネルリストは、現実の受信状態とは異なる可能性があり、携帯端末において、ある受信エリアで、受信可能であると推定されているチャンネルが受信できないことになり、視聴者は、その位置において、視聴したいチャンネルの放送番組を視聴できないという問題が発生する。
【０００６】
この場合、放送局側では、視聴者からの視聴報告等によって、チャンネルリストを更新することになるが、視聴者の手間となり、リアルタイムでチャンネルリストを更新することができないため、視聴者が、視聴したいチャンネルの放送番組をすぐに視聴できないという問題は残ったままである。
このように、従来のチャンネルリストでは、精度に問題があるため、さらなる精度向上が望まれている。
【０００７】
本発明は、以上のような問題点に鑑みてなされたものであり、放送の受信エリアが異なる場合であっても、チャンネルリストを用いて、素早く視聴者が視聴したいチャンネルの放送番組を提示することを可能にし、そのチャンネルリストの精度を高めることを可能にしたチャンネルリスト配信サーバ、チャンネルリスト配信方法およびチャンネルリスト配信プログラムを提供することを目的とする。
【課題を解決するための手段】
【０００８】
本発明は、前記目的を達成するために創案されたものであり、まず、請求項１に記載のチャンネルリスト配信サーバは、受信可能なチャンネルのリストを放送受信端末に配信するチャンネルリスト配信サーバであって、リスト群記憶手段と、リスト要求受信手段と、チャンネル情報判定手段と、代替リスト検索手段と、リスト送信手段とを備える構成とした。
【０００９】
かかる構成において、チャンネルリスト配信サーバは、リスト群記憶手段に、位置を特定した所定領域ごとに受信可能なチャンネルを示す複数のチャンネル情報からなるリストを予め記憶しておく。この所定領域は、放送受信端末の位置を特定する領域である。例えば、放送受信端末の位置は、携帯電話の基地局（携帯基地局）によって特定することができ、この場合、所定領域は、携帯基地局の電波送出範囲とすることができる。また、チャンネルのリスト（チャンネルリスト）は、予め電界計算に基づいて、各チャンネルを受信可能な位置を推定して生成されたものである。
【００１０】
そして、チャンネルリスト配信サーバは、リスト要求受信手段によって、放送受信端末から、放送受信端末の位置を示す位置情報と、放送受信端末で受信可能な少なくとも１つのチャンネルを示す端末受信チャンネル情報とをリストの要求として受信する。これによって、チャンネルリスト配信サーバは、現在の放送受信端末の位置と、その位置における実際に受信可能なチャンネル（端末受信チャンネル情報）とを取得することができる。
【００１１】
また、チャンネルリスト配信サーバは、チャンネル情報判定手段によって、リスト要求受信手段で受信した位置情報で示される位置を含んだ領域に対応するリストに、端末受信チャンネル情報が含まれているか否かを判定する。これによって、リストが正確であるかどうかを判定することができる。
また、チャンネルリスト配信サーバは、代替リスト検索手段によって、リストに端末受信チャンネル情報が含まれていない場合に、端末受信チャンネル情報を含むリストをリスト群記憶手段において検索し、リスト送信手段によって、当該端末受信チャンネル情報を含むリストを放送受信端末に送信する。これによって、少なくとも現在放送受信端末が受信可能なチャンネルを含んだリストが、放送受信端末に送信されることになる。
【００１２】
また、請求項２に記載のチャンネルリスト配信サーバは、請求項１に記載のチャンネルリスト配信サーバにおいて、前記代替リスト検索手段が、前記端末受信チャンネル情報を含むリストが複数存在する場合に、前記位置情報に基づいて、当該位置情報で示される位置を含んだ領域に最も近い領域に対応するリストを検索することを特徴とする。
【００１３】
かかる構成において、チャンネルリスト配信サーバは、代替リスト検索手段によって、端末受信チャンネル情報を含んだリストの中で、放送受信端末から受信した位置情報に基づいて、その位置情報で示される位置を含んだ領域に最も近い領域に対応するリストを検索することで、領域の境界近傍において、実際の電波状況に即したリストが選択されることになる。
【００１４】
さらに、請求項３に記載のチャンネルリスト配信サーバは、請求項１または請求項２に記載のチャンネルリスト配信サーバにおいて、前記チャンネル情報判定手段で前記リストに前記端末受信チャンネル情報が含まれていないと判定された場合に、当該リストに前記端末受信チャンネル情報を付加して更新するリスト更新手段を備えていることを特徴とする。
【００１５】
かかる構成において、チャンネルリスト配信サーバは、リスト更新手段によって、リストに端末受信チャンネル情報が含まれていないと判定された場合に、当該リストに端末受信チャンネル情報を付加することで、電界計算に基づいて生成されたリストに含まれていなかったチャンネルがリストに付加され、実際の電波状況に即してリストが更新されることになる。
【００１６】
また、請求項４に記載のチャンネルリスト配信サーバは、請求項３に記載のチャンネルリスト配信サーバにおいて、前記リスト更新手段が、前記チャンネル情報判定手段で前記リストに前記端末受信チャンネル情報が含まれていないと判定された回数または割合が予め定めた基準値を超過する場合に、前記リストを更新する構成とした。
【００１７】
かかる構成において、チャンネルリスト配信サーバは、リスト更新手段において、リストに端末受信チャンネル情報が含まれていないと判定された回数を累計し、あるいは、その割合を算出し、その回数または割合が予め定めた基準値を超過する場合にリストを更新する。これによって、リスト更新手段は、一時的な電波状態に影響されることなく、リストを更新することが可能になる。
【００２１】
また、請求項５に記載のチャンネルリスト配信方法は、位置を特定した所定領域ごとに受信可能なチャンネルを示す複数のチャンネル情報からなるリストを予め記憶するリスト群記憶手段を備えたチャンネルリスト配信サーバにおいて、放送受信端末に前記チャンネルのリストを配信するチャンネルリスト配信方法であって、受信ステップと、チャンネル情報判定ステップと、代替リスト検索ステップと、リスト送信ステップとを含むことを特徴とする。
【００２２】
かかる手順において、チャンネルリスト配信方法は、受信ステップで、放送受信端末から、放送受信端末の位置を示す位置情報と、放送受信端末で受信可能な少なくとも１つのチャンネルを示す端末受信チャンネル情報とをリストの要求として受信する。
そして、チャンネルリスト配信方法は、チャンネル情報判定ステップで、位置情報で示される位置を含んだ領域に対応するリストに、端末受信チャンネル情報が含まれているか否かを判定する。
そして、チャンネルリスト配信方法は、代替リスト検索ステップで、リストに端末受信チャンネル情報が含まれていない場合に、端末受信チャンネル情報を含むリストをリスト群記憶手段において検索し、リスト送信ステップで、当該端末受信チャンネル情報を含むリストを放送受信端末に送信する。
【００２３】
さらに、請求項６に記載のチャンネルリスト配信プログラムは、位置を特定した所定領域ごとに受信可能なチャンネルを示す複数のチャンネル情報からなるリストを予め記憶するリスト群記憶手段を備えたチャンネルリスト配信サーバにおいて、放送受信端末に前記チャンネルのリストを配信するために、前記チャンネルリスト配信サーバを制御するコンピュータを、リスト要求受信手段、チャンネル情報判定手段、代替リスト検索手段、リスト送信手段として機能させる構成とした。
【００２４】
かかる構成において、チャンネルリスト配信プログラムは、リスト要求受信手段によって、放送受信端末から、放送受信端末の位置を示す位置情報と、放送受信端末で受信可能な少なくとも１つのチャンネルを示す端末受信チャンネル情報とをリストの要求として受信する。
そして、チャンネルリスト更新プログラムは、チャンネル情報判定手段によって、位置情報で示される位置を含んだ領域に対応するリストに、端末受信チャンネル情報が含まれているか否かを判定する。
そして、チャンネルリスト更新プログラムは、代替リスト検索手段によって、リストに端末受信チャンネル情報が含まれていない場合に、端末受信チャンネル情報を含むリストをリスト群記憶手段において検索し、リスト送信手段によって、当該端末受信チャンネル情報を含むリストを放送受信端末に送信する。
【発明の効果】
【００２５】
本発明は、以下に示す優れた効果を奏するものである。
請求項１，５，６に記載の発明によれば、チャンネルリスト配信サーバは、放送受信端末の現在位置と、現在受信可能な少なくとも１つのチャンネルとに基づいて、チャンネルのリストを配信するため、確実に現在位置に対応するチャンネルのリストを配信することができる。これによって、放送受信端末が放送波の受信エリアを跨って移動する場合であっても、最も適したチャンネルリストを配信することができる。また、本発明によれば、放送受信端末において受信可能なチャンネルを少なくとも１つ探索すればよいため、放送受信端末は、全チャンネルをスキャンしてチャンネルを検索する場合に比べて素早く視聴者が視聴したいチャンネルの放送番組を提示することができる。
【００２６】
請求項２に記載の発明によれば、チャンネルリスト配信サーバは、電界計算に基づいて生成されたチャンネルリストよりも、実際の電波状況に即したチャンネルリストを選択するため、精度の高いチャンネルリストを放送受信端末に配信することができる。
請求項３に記載の発明によれば、チャンネルリスト配信サーバは、電界計算に基づいて生成されたチャンネルリストを、実際の電波状況に基づいて更新することができ、より精度の高いチャンネルリストを生成することができる。
請求項４に記載の発明によれば、電界計算に基づいて生成されたチャンネルリストを、実際の電波状況に基づいて更新する際に、一時的な電波状態に影響されないため、精度の高いチャンネルリストを生成することができる。
【発明を実施するための最良の形態】
【００２８】
以下、本発明の実施の形態について図面を参照して説明する。
［チャンネルリスト配信システム］
最初に、図１を参照して、本発明に係るチャンネルリスト配信サーバと放送受信端末とを用いたチャンネルリスト配信システムの概要について説明する。図１は、チャンネルリスト配信システムの概要を説明するための全体図である。
図１に示すように、チャンネルリスト配信システムＳは、放送局ＢＳが地上波によって提供する映像、音声、データ等の放送サービスを放送受信端末２が受信する際に、放送受信端末２が受信可能なチャンネルのリスト（チャンネルリスト）を配信するシステムである。
【００２９】
図１では、放送中継局ＲＳ（ここではＲＳ2）が中継する地上波の受信エリアＲＡ（ここではＲＡ2）内に、放送受信端末２が位置している状態を示している。
このとき、チャンネルリスト配信システムＳは、まず、放送受信端末２において、放送受信端末２の現在の位置を示す位置情報と、現在受信できている少なくとも１つのチャンネルを示すチャンネル情報（端末受信チャンネル情報）とを、携帯電話の基地局（以下、携帯基地局という）を介した、インターネット等の通信回線Ｎにより、放送局ＢＳ内のチャンネルリスト配信サーバ１にリスト要求として送信する。そして、チャンネルリスト配信システムＳは、チャンネルリスト配信サーバ１において、放送受信端末２から送信されてきた位置情報で示される位置（携帯基地局ＴＳ）に対応付けられているチャンネルリストの中から、同じく放送受信端末２から送信されてきた端末受信チャンネル情報を含んだチャンネルリストを検索し、通信回線Ｎを介して、放送受信端末２に送信する。
これによって、放送受信端末２は、受信エリアＲＡ2内において受信可能なチャンネルリストを取得し、当該位置において視聴可能な放送サービス（放送番組）を視聴者に提供することができる。
【００３０】
また、チャンネルリスト配信システムＳは、チャンネルリスト配信サーバ１において、放送受信端末２から送信されてきた、放送受信端末２の位置情報と端末受信チャンネル情報とに基づいて、当該位置において受信可能なチャンネルを把握し、チャンネルリストを更新する。
これによって、チャンネルリスト配信サーバ１は、チャンネルリストを現状の受信状況（電波状況）に即したチャンネルリストに更新し、その精度を高めることができる。
以下、本発明に係るチャンネルリスト配信サーバ１と放送受信端末２とを詳細に説明する。
【００３１】
（チャンネルリスト配信サーバの構成）
まず、図２を参照（適宜図１参照）して、チャンネルリスト配信サーバ１の構成について説明する。図２は、本発明に係るチャンネルリスト配信サーバの構成を示すブロック図である。
【００３２】
チャンネルリスト配信サーバ１は、放送受信端末２が受信可能なチャンネルのリスト（チャンネルリスト）を放送受信端末２に配信するものである。ここでは、チャンネルリスト配信サーバ１は、リスト要求受信手段１０と、リスト群記憶手段１１と、リスト検索手段１２と、リスト送信手段１３と、リスト更新手段１４と、未リストチャンネル情報記憶手段１５とを備えている。
【００３３】
リスト要求受信手段（受信手段）１０は、放送受信端末２から、放送受信端末２の位置を示す位置情報と、放送受信端末２で受信可能なチャンネルを示す端末受信チャンネル情報とをリストの要求（リスト要求）として受信するものである。また、リスト要求受信手段１０は、受信したリスト要求に含まれている位置情報と端末受信チャンネル情報とをリスト検索手段１２に出力する。
なお、リスト要求は、放送受信端末２から送信され、携帯基地局ＴＳを経由し通信回線Ｎを介して、チャンネルリスト配信サーバ１に送信される。また、放送受信端末２において、受信可能なチャンネルが認識されていない場合は、リスト要求には、位置情報のみが含まれている。
【００３４】
リスト群記憶手段（リスト群記憶装置）１１は、放送受信端末２が受信可能なチャンネルを示すチャンネル情報からなるチャンネルリストＬを、所定位置に対応付けたリスト群Ｍとして予め記憶するものであって、ハードディスク等の一般的な記憶装置である。
なお、ここで所定位置とは、放送受信端末２の位置を特定することが可能な基準であれば何でもよい。例えば、所定位置は、放送受信端末２が携帯電話の電波を受信することが可能な携帯基地局ＴＳの位置（例えば、緯度および経度、または、固有の識別番号）である。この場合、位置情報は、携帯基地局ＴＳを特定するための情報となる。
また、このリスト群記憶手段１１に記憶されているチャンネルリストＬは、コンピュータのシミュレーションによる電界計算に基づいて生成されるものである。
【００３５】
ここで、図３を参照（適宜図２参照）して、リスト群記憶手段１１の記憶内容について説明する。図３は、リスト群記憶手段１１に記憶されているデータの内容を示すデータ構造図である。
ここでは、図３（ａ）に示すように、携帯基地局（位置情報）ごとに、チャンネルリストを特定する番号（チャンネルリスト番号）を対応付けたリストインデックスによって、携帯基地局とチャンネルリストとを対応付けている。なお、位置情報は、ここでは、携帯基地局の固有の識別情報と、緯度および経度としている。
【００３６】
そして、リスト群記憶手段１１には、図３（ｂ）に示すように、チャンネルリスト番号に対応付けて、複数のチャンネルリストＬ（Ｌ1、Ｌ2、…）をリスト群Ｍとして記憶している。ここでは、チャンネルリスト番号「１００００１」にチャンネルリストＬ1、チャンネルリスト番号「１００００２」にチャンネルリストＬ2、…をそれぞれ対応付けている。
ここで、チャンネルリストＬは、対応する携帯基地局において受信可能なチャンネルを示す情報であって、ここでは、一例として、チャンネル選択番号、物理チャンネルおよび放送局情報を含むこととしている。
【００３７】
チャンネル選択番号は、放送受信端末２（図１参照）において、視聴者が操作するチャンネルの番号である。視聴者は、放送受信端末２において、当該チャンネル選択番号に対応する操作ボタンを押下等することでチャンネルを選択し、所望の放送番組を視聴することができる。物理チャンネルは、放送波の周波数上において割り当てられた周波数チャンネルである。また、放送局（サービス局）情報は、放送サービスを提供する放送局を識別する情報である。
【００３８】
例えば、図３では、携帯基地局「△△△」の電波の到達範囲内では、チャンネルリスト番号「１００００１」のチャンネルリストＬ1によって、チャンネル選択番号「１」で、放送局Ａが放送する物理チャンネル「２７」の放送番組を受信できることを示している。
このように、携帯基地局（位置情報）ごとに、チャンネルリストＬを対応付けておくことで、チャンネルリスト配信サーバ１は、放送受信端末２の位置によって、どのチャンネルリストＬを配信するのかを管理している。
【００３９】
なお、ここでは、携帯基地局の位置とチャンネルリストとを対応付けた例を示したが、リスト群記憶手段１１に地図情報（数値標高モデルデータ）を記憶し、地形をメッシュ状に区切ったメッシュ（例えば、地図上の５００ｍ×５００ｍ区画ごとにその区画の緯度、経度および標高の数値を含んだ５００ｍメッシュデータ）ごとに、識別番号を与え、チャンネルリストと対応付けてもよい。これによって、放送受信端末２（図１参照）が、ＧＰＳ（Global Positioning System）等によって位置情報を取得することが可能である場合、その位置情報と、チャンネルリストとを対応付けることが可能になる。
図２（適宜図１参照）に戻って、チャンネルリスト配信サーバ１の構成について説明を続ける。
【００４０】
リスト検索手段１２は、リスト群記憶手段１１から、リスト要求受信手段１０で受信した位置情報と端末受信チャンネル情報とに対応するチャンネルリストＬを検索するものである。ここでは、リスト検索手段１２は、対応リスト検索手段１２ａと、直近リスト検索手段１２ｂとを備えている。
【００４１】
対応リスト検索手段（チャンネル情報判定手段）１２ａは、リスト要求受信手段１０で受信したリスト要求に含まれている位置情報に対応するチャンネルリストＬを、リスト群記憶手段１１において検索するものである。なお、対応リスト検索手段１２ａは、リスト要求に端末受信チャンネル情報が含まれている場合、検索したチャンネルリストＬに当該端末受信チャンネル情報が含まれているか否かによって、当該チャンネルリストＬの正当性を判定する。
ここで、対応リスト検索手段１２ａは、位置情報に対応するとともに、正当性が確認されたチャンネルリストＬのみをリスト送信手段１３に出力する。
【００４２】
なお、チャンネルリストＬの正当性が確認されない場合、すなわち、当該チャンネルリストＬに端末受信チャンネル情報が含まれていない場合、対応リスト検索手段１２ａは、その旨を示す通知を直近リスト検索手段１２ｂに出力するとともに、位置情報と端末受信チャンネル情報とをリスト更新手段１４に出力する。
【００４３】
直近リスト検索手段（代替リスト検索手段）１２ｂは、リスト要求受信手段１０で受信したリスト要求に含まれている位置情報で示される位置に最も近く、かつ、リスト要求に含まれている端末受信チャンネル情報を含んでいるチャンネルリストＬを、リスト群記憶手段１１において検索するものである。この直近リスト検索手段１２ｂで検索されたチャンネルリストＬは、リスト送信手段１３に出力される。
【００４４】
例えば、直近リスト検索手段１２ｂは、位置情報が携帯基地局の識別番号である場合、端末受信チャンネル情報を含んでいるチャンネルリストＬをリスト群記憶手段１１において検索し、その検索されたチャンネルリストＬに対応する携帯基地局の緯度および経度と、位置情報で示される携帯基地局の緯度および経度とに基づいて、携帯基地局間の距離を算出し、その距離が最も短い携帯基地局に対応するチャンネルリストＬを検索する。
これによって、放送受信端末２で現在受信可能なチャンネルの情報を含んだチャンネルリストが検索されることになる。
【００４５】
リスト送信手段１３は、リスト検索手段１２で検索されたチャンネルリストＬを、通信回線Ｎを介して、リスト要求を送信した放送受信端末２に対して送信するものである。
【００４６】
リスト更新手段１４は、対応リスト検索手段１２ａからチャンネルリストＬの正当性が確認されない旨の通知がなされた場合に、その通知された回数に基づいて、リスト群記憶手段１１に記憶されているチャンネルリストＬを更新するものである。ここでは、リスト更新手段１４は、累計手段１４ａと、更新実行手段１４ｂとを備えている。
【００４７】
累計手段１４ａは、対応リスト検索手段１２ａからチャンネルリストＬの正当性が確認されない旨の通知、すなわち、位置情報に対応するチャンネルリストに端末受信チャンネル情報が含まれていない旨の通知の数を累計するものである。ここでは、累計手段１４ａは、未リストチャンネル情報記憶手段１５に、位置情報に対応するチャンネルリストに含まれていない回数（累計値）を含んだ未リストチャンネル情報Ｋを記憶し、逐次更新する。
【００４８】
なお、累計手段１４ａは、チャンネルリストに端末受信チャンネル情報が含まれていない旨の通知の数を累計するだけでなく、リスト要求を受信した数も併せて累計することとしてもよい。この場合、累計手段１４ａは、リスト要求受信手段１０またはリスト探索手段１２からリスト要求を受信した旨の通知を取得することとする。これによって、後記する更新実行手段１４ｂにおいて、ある位置情報に対応するリスト要求において、チャンネルリストに端末受信チャンネル情報が含まれていない割合を算出することが可能になる。
【００４９】
更新実行手段１４ｂは、未リストチャンネル情報記憶手段１５に記憶されている未リストチャンネル情報Ｋの累計値が、予め定めた回数（基準値）を超過した段階で、リスト群記憶手段１１に記憶されているチャンネルリストＬを更新するものである。
この未リストチャンネル情報Ｋは、累計値が多いほど、携帯基地局（位置情報）に対応する位置で、端末受信チャンネル情報で示されるチャンネルを受信する可能性が高いといえる。そこで、更新実行手段１４ｂは、この累計値に基づいて、チャンネルリストＬの更新を行う。すなわち、更新実行手段１４ｂは、チャンネルリストＬに、端末受信チャンネル情報を追加する。
【００５０】
なお、更新実行手段１４ｂは、未リストチャンネル情報記憶手段１５に記憶されている未リストチャンネル情報Ｋに、チャンネルリストに端末受信チャンネル情報が含まれていない数（累計数）と、リスト要求を受信した数（累計数）とが記憶されている場合、チャンネルリストに端末受信チャンネル情報が含まれていない数の割合を算出し、その割合が、予め定めた比率（基準値）を超過した段階で、リスト群記憶手段１１に記憶されているチャンネルリストＬを更新することとしてもよい。
【００５１】
未リストチャンネル情報記憶手段１５は、リスト要求として位置情報とともに送信されてくる端末受信チャンネル情報が、リスト群記憶手段１１において、当該位置情報に対応するチャンネルリストに含まれていない回数（リスト要求の数）を累計値として記憶するものであって、ハードディスク等の一般的な記憶装置である。
この未リストチャンネル情報記憶手段１５には、例えば、図４に示すように、携帯基地局（位置情報）ごとに、端末受信チャンネル情報（チャンネル選択番号、物理チャンネル）と、リスト要求の累計値とを、未リストチャンネル情報Ｋとして記憶する。また、この未リストチャンネル情報は、リスト更新手段１４によって更新される。
なお、ここでは、リスト群記憶手段１１と未リストチャンネル情報記憶手段１５とを別構成としているが、同一の記憶手段とし、個別の記憶領域にそれぞれの情報を記憶することとしてもよい。また、未リストチャンネル情報記憶手段１５には、前記したようにリスト要求全体の数も併せて記憶することとしてもよい。
【００５２】
以上、チャンネルリスト配信サーバ１の構成について説明したが、本発明はこの構成に限定されるものではない。
例えば、ここでは、チャンネルリスト配信サーバ１は、放送受信端末２から、位置情報および端末受信チャンネル情報をリストの要求（リスト要求）として受信することとしたが、この位置情報および端末受信チャンネル情報は、リスト要求ではなく放送受信端末２の受信状況を示す受信状況通知として受信することとしてもよい。
【００５３】
すなわち、チャンネルリスト配信サーバ１は、図示を省略した受信状況受信手段によって、放送受信端末２から、位置情報および端末受信チャンネル情報を受信状況通知として受信し、リスト検索手段１２の対応リスト検索手段１２ａによって、位置情報に対応するチャンネルリストＬをリスト群記憶手段１１において検索する。そして、チャンネルリスト配信サーバ１は、リスト更新手段１４によって、位置情報に対応するチャンネルリストＬが存在しない回数を累計し、その回数が予め定めた回数（基準値）を超過した段階で、リスト群記憶手段１１に記憶されているチャンネルリストＬを更新する。
この場合、例えば、放送受信端末２が、接続する携帯基地局ＴＳを切り替えるハンドオーバ等のタイミングでチャンネルリスト配信サーバ１に受信状況通知を送信することで、視聴者が特別な操作を行うことなく、チャンネルリスト配信サーバ１において受信状況を収集することが可能となる。
【００５４】
また、ここでは、チャンネルリスト配信サーバ１は、携帯基地局（位置情報）ごとに、チャンネルリストに含まれていない端末受信チャンネル情報（チャンネル選択番号、物理チャンネル）と、そのリスト要求の累計値とを、未リストチャンネル情報Ｋとして記憶することとしたが、すべての端末受信チャンネル情報とリスト要求の累計値とをリストチャンネル情報として、記憶手段（図示せず）に記憶することとしてもよい。これによって、あるチャンネルがチャンネルリストに含まれているにもかかわらず、そのチャンネルに対応する端末受信チャンネル情報が、リスト要求として送信されてこない割合を認識することができる。そして、チャンネルリスト配信サーバ１の運用者が、その割合によって、チャンネルリストから、当該チャンネルを削除する等の判断を行うことが可能になる。
【００５５】
なお、チャンネルリスト配信サーバ１は、一般的なコンピュータを、前記した各手段として機能させることで実現することができる。このプログラム（チャンネルリスト配信プログラム）は、通信回線を介して配布することも可能であるし、ＣＤ−ＲＯＭ等の記録媒体に書き込んで配布することも可能である。
【００５６】
（放送受信端末の構成）
次に、図５を参照（適宜図１参照）して、放送受信端末２の構成について説明する。図５は、参考例に係る放送受信端末の構成を示すブロック図である。
放送受信端末２は、放送中継局ＲＳから放送される放送波（地上波）を受信するものである。ここでは、放送受信端末２は、位置情報取得手段２０と、リスト要求送信手段２１と、チャンネル探索手段２２と、リスト受信手段２３と、リスト記憶手段２４と、操作手段２５と、選局手段２６と、放送受信手段２７と、復号手段２８と、表示手段２９とを備えている。
【００５７】
位置情報取得手段２０は、当該放送受信端末２の位置を示す位置情報を取得するものである。ここでは、位置情報取得手段２０は、放送受信端末２と通信可能な携帯基地局ＴＳの位置を特定する識別番号等を位置情報として、当該携帯基地局ＴＳから取得する。なお、位置情報は、携帯基地局ＴＳの識別番号等に限られず、ＧＰＳ（Global Positioning System）等によって取得した位置情報であっても構わない。この位置情報取得手段２０で取得した位置情報は、リスト要求送信手段２１に出力される。
【００５８】
リスト要求送信手段２１は、位置情報取得手段２０で取得された位置情報と、後記するチャンネル探索手段２２で探索された、放送受信端末２で受信可能なチャンネルを示す端末受信チャンネル情報とをリストの要求（リスト要求）として、チャンネルリスト配信サーバ１に送信するものである。このリスト要求送信手段２１は、後記する操作手段２５によって、固有の操作ボタンの押下等によってリスト要求が指示されたタイミングで、リスト要求を送信する。
なお、リスト要求送信手段２１は、チャンネル探索手段２２から受信可能なチャンネルが存在しない旨が通知された場合は、位置情報のみを含んだリスト要求を送信することとする。
【００５９】
チャンネル探索手段２２は、現在受信可能なチャンネルを探索するものである。このチャンネル探索手段２２は、放送受信手段２７で現在選局されているチャンネルにおいて放送波が検出されている場合は、そのチャンネルを受信可能なチャンネルとして、リスト要求送信手段２１に出力する。なお、現在選局されているチャンネルにおいて放送波が検出されない場合、チャンネル探索手段２２は、放送受信手段２７に対して、チャンネルを順次切り替える（選局する）ことで、放送波が検出されるチャンネルを探索する、いわゆるチャンネルスキャンを実行する。なお、チャンネル探索手段２２は、全チャンネルに対してチャンネルスキャンを実行する必要はなく、少なくとも１つのチャンネルにおいて、放送波が検出された段階で、当該チャンネルをリスト要求送信手段２１に出力する。
なお、現在受信可能なチャンネルが、存在しない場合は、その旨をリスト要求送信手段２１に通知する。
【００６０】
リスト受信手段２３は、チャンネルリスト配信サーバ１から配信されるチャンネルリストを受信するものである。このリスト受信手段２３で受信されたチャンネルリストは、リスト記憶手段２４に書き込まれ、記憶される。
なお、チャンネルリスト配信サーバ１から配信されるチャンネルリストは、通信回線Ｎを介し、放送受信端末２と通信可能な携帯基地局ＴＳを経由して放送受信端末２に配信される。
【００６１】
リスト記憶手段２４は、リスト受信手段２３で受信したチャンネルリストＬを記憶するものであって、ハードディスク等の一般的な記憶装置である。このリスト記憶手段２４に記憶されたチャンネルリストＬは、選局手段２６において、チャンネルを選局する際に参照される。
【００６２】
操作手段２５は、当該放送受信端末２に対する操作内容を入力するものであって、例えば、図示を省略した操作ボタン等である。なお、操作手段２５は、表示手段２９を介して、メニュー画面等を表示し、そのメニュー画面の内容に沿ったキー入力を行わせるものであってもよい。
この操作手段２５において、視聴者のキー入力によって、チャンネルの選局ボタン（図示せず）が押下された場合、その選局されたチャンネルの番号（チャンネル選局番号）が、選局手段２６に出力される。また、操作手段２５において、視聴者がチャンネルリストを取得するための操作ボタンを押下した場合、その旨がリスト要求送信手段２１に出力される。
【００６３】
選局手段２６は、チャンネル選局番号に対応する物理チャンネルを放送受信手段２７に出力することで、チャンネルの選局を行うものである。この選局手段２６は、操作手段２５からチャンネル選局番号が入力された段階で、リスト記憶手段２４に記憶されているチャンネルリストＬを参照して、当該チャンネル選局番号に対応する物理チャンネルを放送受信手段２７に出力する。
【００６４】
放送受信手段２７は、放送中継局ＲＳを介して放送される放送波を受信するものである。この放送受信手段２７は、選局手段２６から出力される物理チャンネルに対応する予め定められた周波数チャンネルを合わせることで、視聴者が所望するチャンネルの放送波を受信する。この放送受信手段２７は、放送波を受信、復調し、誤り訂正やＴＭＣＣ（Transmission and Multiplexing Configuration Control）復号等の復号を行い、ＭＰＥＧ２のトランスポートストリーム（Transport Stream）として、復号手段２８に出力する。
また、放送受信手段２７は、チャンネル探索手段２２からの要求に対して、現在選局されているチャンネルにおいて、放送波が検出されているか否かを応答する。さらに、放送受信手段２７は、チャンネル探索手段２２からの要求に基づいて、チャンネルスキャンを行い、放送波が検出されたチャンネルをチャンネル探索手段２２に通知する。
【００６５】
復号手段２８は、放送受信手段２７で受信し、復調されたストリームデータ（トランスポートストリーム）を復号するものである。例えば、映像、音声がＭＰＥＧ２の符号化方式によって符号化されている場合、復号手段２８は、ＭＰＥＧ２の復号を行い表示可能な出力形式の映像データ、音声データとして、表示手段２９に出力する。また、例えば、データが、社団法人電波産業会（ARIB：Association of Radio Industries and Business）によって規定されたデジタルテレビ放送向けのコンテンツ記述言語であるＢＭＬ（Broadcast Markup Language）で記述されている場合、復号手段２８は、ＢＭＬを解析し、表示可能な出力形式に変換したデータとして、表示手段２９に出力する。
【００６６】
表示手段２９は、復号手段２８で復号された映像、音声、データ等を出力するもので、映像、データ等を表示するための液晶ディスプレイ（図示せず）と、音声を出力するためのスピーカ（図示せず）とを備えている。
【００６７】
以上、放送受信端末２の構成について説明したが、参考例はこの構成に限定されるものではない。
例えば、ここでは、放送受信端末２は、放送波を受信する機能についてのみ説明を行ったが、この放送受信端末２は、一般的な携帯電話において、前記した手段を組み込むことが可能である。これによって、携帯電話において、放送番組を視聴することができる。
【００６８】
また、ここでは、放送受信端末２は、視聴者の操作によって、チャンネルリストを要求することとしたが、位置情報と端末受信チャンネル情報とを、定期的に図示を省略したハードディスク等の記憶手段（受信状況記憶手段）に記憶し、定期的あるいはハンドオーバ等のタイミングでチャンネルリスト配信サーバ１に、記憶された位置情報および端末受信チャンネル情報を受信状況として通知することとしてもよい。これによって、チャンネルリスト配信サーバ１は、チャンネルリストを更新することができる。
【００６９】
また、例えば、放送受信端末２は、放送番組を受信するタイミングや、放送受信手段２７において受信状態が悪くなったタイミング（例えば、信号レベルが予め定めたＳ／Ｎ比よりも劣化した場合）等に、リスト要求を送信することとしてもよい。これによって、放送受信端末２は、現在の位置における最適なチャンネルリストを取得することができる。
【００７０】
また、例えば、チャンネルリストにバージョン情報、更新日情報等を含ませておき、放送受信端末２は、リスト要求送信手段２１において、チャンネルリストを受信した後（更新後）、一定期間経過後、リスト要求を送信することとしてもよい。これによって、放送受信端末２は、チャンネルリスト配信サーバ１において、チャンネルリストに新しいサービス局が追加された場合等、その更新されたチャンネルリストを受信することが可能になる。
【００７１】
［チャンネルリスト配信および更新動作］
次に、図６および図７を参照して、本発明に係るチャンネルリスト配信システムＳ（図１参照）におけるチャンネルリストの配信および更新動作について説明する。図６は、チャンネルリスト配信システムにおけるチャンネルリストの配信動作を示すフローチャートである。図７は、チャンネルリスト配信システムにおけるチャンネルリストの更新動作を示すフローチャートである。
【００７２】
（チャンネルリスト配信動作）
まず、図６を参照（適宜図１、図２または図５を参照）して、チャンネルリストの配信動作について説明する。
チャンネルリスト配信システムＳにおいて、まず、放送受信端末２は、位置情報取得手段２０によって、現在の位置を示す位置情報を取得する（ステップＳ１１）。
そして、放送受信端末２は、ステップＳ１１で取得した位置情報と、現在受信可能なチャンネル（端末受信チャンネル情報）とを含んだリスト要求を、通信回線Ｎを介して、チャンネルリスト配信サーバ１に送信する（ステップＳ１２）。なお、現在受信可能なチャンネルは、チャンネル探索手段２２において、チャンネルスキャンによって探索することとしてもよい。
【００７３】
そして、チャンネルリスト配信サーバ１は、リスト要求受信手段１０によって、放送受信端末２から送信されたリスト要求を受信し（ステップＳ２１；受信ステップ）、リスト検索手段１２の対応リスト検索手段１２ａによって、リスト要求に含まれている位置情報に対応するチャンネルリストＬを、リスト群記憶手段１１において検索し、読み出す（ステップＳ２２）。
ここで、チャンネルリスト配信サーバ１は、リスト要求に端末受信チャンネル情報が含まれているか否かを判定し（ステップＳ２３）、端末受信チャンネル情報が含まれていない場合（ステップＳ２３でＮｏ）、ステップＳ２５に動作を進める。
【００７４】
一方、リスト要求に端末受信チャンネル情報が含まれている場合（ステップＳ２３でＹｅｓ）、チャンネルリスト配信サーバ１は、ステップＳ２２で読み出したチャンネルリストＬに、端末受信チャンネル情報が含まれているか否かを判定する（ステップＳ２４；チャンネル情報判定ステップ）。
ここで、チャンネルリストＬに端末受信チャンネル情報が含まれていない場合（ステップＳ２４でＮｏ）、チャンネルリスト配信サーバ１は、ステップＳ２６に動作を進める。
一方、チャンネルリストＬに端末受信チャンネル情報が含まれている場合（ステップＳ２４でＹｅｓ）、チャンネルリスト配信サーバ１は、リスト送信手段１３によって、ステップＳ２２で読み出されたチャンネルリストＬを、リスト要求を送信した放送受信端末２に送信し（ステップＳ２５）、動作を終了する。
【００７５】
また、チャンネルリストＬに端末受信チャンネル情報が含まれていない場合（ステップＳ２４でＮｏ）、チャンネルリスト配信サーバ１は、リスト検索手段１２の直近リスト検索手段１２ｂによって、リスト要求に含まれている端末受信チャンネル情報を含み、リスト要求に含まれている位置情報で示される位置に最も近いチャンネルリストＬを、リスト群記憶手段１１において検索する（ステップＳ２６）。
【００７６】
そして、チャンネルリスト配信サーバ１は、ステップＳ２６で検索されたチャンネルリストＬを、リスト要求を送信した放送受信端末２に送信する（ステップＳ２７）。そして、チャンネルリスト配信サーバ１は、リスト更新手段１４によって、リスト群記憶手段１１に記憶されているチャンネルリストＬの更新処理（リスト更新処理）を行う（ステップＳ２８）。なお、このリスト更新処理については、図７を参照して後で説明を行う。
このように、チャンネルリスト配信サーバ１は、ステップＳ２５またはステップＳ２７で、チャンネルリストＬを放送受信端末２に送信する。
【００７７】
ここで、放送受信端末２は、リスト受信手段２３によって、チャンネルリスト配信サーバ１から送信されたチャンネルリストＬを受信し（ステップＳ１３）、リスト記憶手段２４に書き込み、記憶する（ステップＳ１４）。
この後、放送受信端末２は、選局手段２６によって、リスト記憶手段２４に記憶されているチャンネルリストＬを参照し、操作手段２５で入力されたチャンネル選局番号に対応する物理チャンネルを選局する（ステップＳ１５）。
そして、放送受信端末２は、放送受信手段２７で受信した放送波を、復号手段２８によって復号し、表示手段２９によって、その復号された映像、音声、データ等表示する（ステップＳ１６）。
【００７８】
以上の動作によって、チャンネルリスト配信サーバ１は、放送受信端末２が存在する位置と、放送受信端末２が現在受信可能なチャンネル情報（受信端末チャンネル情報）とに基づいて、チャンネルリストを配信する。これによって、チャンネルリスト配信サーバ１は、当該チャンネルリスト配信サーバ１で保持しているチャンネルリストＬの精度が悪い場合であって、確実に放送受信端末２で受信可能なチャンネルリストを配信することができる。
【００７９】
（チャンネルリスト更新動作）
次に、図７を参照（適宜図２を参照）して、チャンネルリストの更新動作について説明する。なお、本動作は、図６で説明したステップＳ２８の動作に相当する。
まず、チャンネルリスト配信サーバ１は、リスト更新手段１４の累計手段１４ａによって、リスト要求の中で、位置情報に対応するチャンネルリストＬに端末受信チャンネル情報が含まれていない回数（累計値）を、未リストチャンネル情報Ｋとして未リストチャンネル情報記憶手段１５において累計する（ステップＳ３１；累計ステップ）。
そして、チャンネルリスト配信サーバ１は、更新実行手段１４ｂによって、未リストチャンネル情報記憶手段１５に記憶されている未リストチャンネル情報Ｋの累計値が、予め定めた回数（基準値）を超過したか否かを判定する（ステップＳ３２）。
【００８０】
ここで、未リストチャンネル情報Ｋの累計値が、予め定めた回数を超過した場合（ステップＳ３２でＹｅｓ）、チャンネルリスト配信サーバ１は、更新実行手段１４ｂによって、チャンネルリストＬに、位置情報に対応する端末受信チャンネル情報を追加することで、チャンネルリストＬを更新する（ステップＳ３３；リスト更新ステップ）。
一方、未リストチャンネル情報Ｋの累計値が、予め定めた回数（基準値）を超過していない場合（ステップＳ３２でＮｏ）、チャンネルリストＬの更新を行わず動作を終了する。
以上の動作によって、チャンネルリスト配信サーバ１は、リスト要求に含まれている位置情報と端末受信チャンネル情報とに基づいて、リスト群記憶手段１１に記憶されているチャンネルリストＬを更新する。これによって、チャンネルリストＬの精度を高めることができる。
【図面の簡単な説明】
【００８１】
【図１】本発明に係るチャンネルリスト配信システムの概要を説明するための全体図である。
【図２】本発明に係るチャンネルリスト配信サーバの構成を示すブロック図である。
【図３】本発明に係るチャンネルリスト配信サーバのリスト群記憶手段に記憶されているデータの内容を示すデータ構造図である。
【図４】本発明に係るチャンネルリスト配信サーバの未リストチャンネル情報記憶手段に記憶されているデータの内容を示すデータ構造図である。
【図５】参考例に係る放送受信端末の構成を示すブロック図である。
【図６】本発明に係るチャンネルリスト配信システムにおけるチャンネルリストの配信動作を示すフローチャートである。
【図７】本発明に係るチャンネルリスト配信システムにおけるチャンネルリストの更新動作を示すフローチャートである。
【符号の説明】
【００８２】
Ｓ      チャンネルリスト配信システム
１      チャンネルリスト配信サーバ
１０    リスト要求受信手段（受信手段）
１１    リスト群記憶手段（リスト群記憶装置）
１２    リスト検索手段
１２ａ  対応リスト検索手段（チャンネル情報判定手段）
１２ｂ  直近リスト検索手段（代替リスト検索手段）
１３    リスト送信手段
１４    リスト更新手段
１４ａ  累計手段
１４ｂ  更新実行手段
１５    未リストチャンネル情報記憶手段
２      放送受信端末
２０    位置情報取得手段
２１    リスト要求送信手段
２２    チャンネル探索手段
２３    リスト受信手段
２４    リスト記憶手段
２５    操作手段
２６    選局手段
２７    放送受信手段
【図１】
0004700443.tif 000002
【図２】
0004700443.tif 000003
【図３】
0004700443.tif 000004
【図４】
0004700443.tif 000005
【図５】
0004700443.tif 000006
【図６】
0004700443.tif 000007
【図７】
0004700443.tif 000008